(57)【特許請求の範囲】
【請求項１】
画像形成装置による印刷結果を検査する印刷結果検査装置であって、
画像形成装置によって用紙に印刷された画像を所定の読取位置で読み取って、検査画像データを取得する読取手段と、
検査画像データに基づいて印刷結果の良否を判断する判断手段と、
用紙を下流に搬送する搬送手段であって、用紙を案内する搬送ガイド板と搬送ガイド板に沿って用紙を挟持しながら下流に送る複数の一対の挟持部材とを備えた搬送手段と、
を有し、
一対の挟持部材は、用紙を２以上の挟持部で挟持しながら用紙を下流に送るものであって、
少なくとも読取位置近傍の一対の挟持部材は、その挟持部が用紙の幅方向の両端部に位置し、
搬送手段は、さらに、搬送される用紙の幅方向の両端位置を取得する手段を有し、
少なくとも読取位置近傍の一対の挟持部材は、搬送路幅方向に並ぶ複数のアイドラーのうち取得した両端位置に応じたアイドラーを、前記複数のアイドラーそれぞれの下方に設けられるとともに対応するアイドラーと用紙を挟持しつつ回転する複数の搬送ローラに近づくように下降させ、他のアイドラーを搬送ローラから離れるべく上昇させることで、取得した両端位置に応じて挟持部の位置を調整する挟持部位置調整手段を有する、
ことを特徴とする印刷結果検査装置。
【請求項２】
請求項１に記載の印刷結果検査装置であって、
画像形成装置は、原稿画像データに基づいて用紙に画像を印刷し、
判断手段は、原稿画像データと検査画像データとを比較照合することにより、印刷結果の良否を判断することを特徴とする印刷結果検査装置。
【請求項３】
請求項１または２に記載の印刷結果検査装置を備えた画像形成装置。
【発明の詳細な説明】
【技術分野】
【０００１】
本発明は、画像形成装置による印刷結果を検査する印刷結果検査装置およびこれを備えた画像形成装置に関する。
【背景技術】
【０００２】
従来から、画像形成装置による印刷結果を検査する印刷結果検査装置が知られている。この印刷結果検査装置によれば、自動的に印刷結果の良否を判断でき、その検査結果を画像形成装置に返すことで、印刷不良の場合には再印刷する等の対応を自動的にとることができる。そして、より簡易な印刷結果の検査や信頼性の高い画像印刷が可能となる。
【０００３】
多くの印刷結果検査装置では、用紙に印刷された画像を読取装置で読み取り、得られた検査画像データに基づいて印刷結果の良否判断を行う。したがって、正確な印刷結果の検査には検査画像データが正確に取得されることが必要となる。正確な検査画像データ取得のためには、少なくとも画像の読取位置において用紙が平らであることが望ましい。読取位置において用紙にカールやうねりによる部分的な浮きが生じていると、その用紙表面に印刷された画像が歪んで見えてしまい、正確な検査画像データを取得できないからである。つまり、用紙に浮きがある場合、印刷部で正常に画像印刷されても、印刷結果不良と判断される場合がある。
【０００４】
そこで、このような用紙の浮きを低減する方法として、従来から様々な技術が提案されている。例えば、特許文献１には、印刷シートの圧胴上でのバタツキを防止するためにエアーノズルを設け、このエアーノズルからのエアーにより用紙を圧胴上に押し付ける技術が開示されている。これによれば、用紙を圧胴上に押し付けることができるため、部分的な浮きなどを低減できる。
【０００５】
【特許文献１】特開平８−９９４０５号公報
【発明の開示】
【発明が解決しようとする課題】
【０００６】
しかしながら、このエアーによる用紙のバタツキ防止方法では、装置全体が大きくなるという問題やエアーの噴出し量制御が難しいという問題がある。したがって、簡易に精度の高い印刷結果の検査を行うことが困難であり、結果として正確な印刷結果の検査が困難であった。
【０００７】
そこで、本発明では、より正確な印刷結果の検査ができる印刷結果検査装置およびこれを備えた画像形成装置を提供することを目的とする。
【課題を解決するための手段】
【００１１】
本発明の印刷結果検査装置は、画像形成装置による印刷結果を検査する印刷結果検査装置であって、画像形成装置によって用紙に印刷された画像を所定の読取位置で読み取って、検査画像データを取得する読取手段と、検査画像データに基づいて印刷結果の良否を判断する判断手段と、用紙を下流に搬送する搬送手段であって、用紙を案内する搬送ガイド板と搬送ガイド板に沿って用紙を挟持しながら下流に送る複数の一対の挟持部材とを備えた搬送手段と、を有し、一対の挟持部材は、用紙を２以上の挟持部で挟持しながら用紙を下流に送るものであって、少なくとも読取位置近傍の一対の挟持部材は、その挟持部が用紙の幅方向の両端部に位置し、搬送手段は、さらに、搬送される用紙の幅方向の両端位置を取得する手段を有し、少なくとも読取位置近傍の一対の挟持部材は、搬送路幅方向に並ぶ複数のアイドラーのうち取得した両端位置に応じたアイドラーを、前記複数のアイドラーそれぞれの下方に設けられるとともに対応するアイドラーと用紙を挟持しつつ回転する複数の搬送ローラに近づくように下降させ、他のアイドラーを搬送ローラから離れるべく上昇させることで、取得した両端位置に応じて挟持部の位置を調整する挟持部位置調整手段を有する、ことを特徴とする。
【００１２】
また、他の本発明である画像形成装置は、上述の印刷結果検査装置を備えたことを特徴とする。
【００１３】
ここで、画像形成装置とは、プリンタや複写機、ファクシミリ、および、これらを複合したデジタル複合機など、用紙に画像を形成する機種全般を指す。また、用紙は、通常の印刷用紙の他、葉書、厚紙、布、ＯＨＰシートなどシート状の印刷媒体全般を指す。
【発明の効果】
【００１４】
本発明によれば、平面性を向上させて用紙を読取位置に搬送することができる。そのため、より正確な印刷結果の検査が可能となる。
【発明を実施するための最良の形態】
【００１５】
以下、図面を参照して本発明の実施の形態であるプリンタ１０について説明する。図１にプリンタ１０の全体の構成図を示す。また、搬送り手段１３の概略構成図を図２に、検査装置１６周辺の概略側面図を図３に、図３の一部拡大図を図４に示す。以下で説明するプリンタ１０は、比較的大型の高速プリンタを想定している。ただし、適宜、その構成の一部を変更することにより、複写機や小型プリンタなど他の印刷装置に応用してもよい。また、本実施の形態では、検査装置１６をプリンタ１０の一部としているが、検査装置１６単体で用いるようにしてもよい。
【００１６】
このプリンタ１０は、図示しない印刷用制御部により制御されており、印刷用制御部に記憶された原稿画像と同じ画像を用紙に形成するものである。収容部２２に収容された用紙は、搬送り手段１３により搬送され、印刷部１２において印刷される。印刷結果は、印刷部１２の下流に設けられた検査装置１６で検査される。そして、その検査結果に応じて、用紙は排紙部２４に排紙、または、両面印刷のために再搬送される。以下、このプリンタ１０について詳説する。
【００１７】
搬送り手段１３は、搬送ガイド板３８と複数の送り手段４０とを有する（図２参照）。搬送ガイド板３８は、用紙５０をプリンタ１０の各部に案内するための板材で、搬送路を形成する。
【００１８】
送り手段４０は、搬送ガイド板３８に沿って複数設けられ、搬送ガイド板３８に沿って用紙５０を順次下流に送るものである。送り手段４０は、搬送ローラ４２と搬送アイドラー４４とを有する。搬送ローラ４２と搬送アイドラー４４とは、搬送された用紙５０を挟持しながら回転することにより用紙を下流に送る。すなわち、搬送ローラ４２と搬送アイドラー４４は、一対の挟持部材であり、また、一対の回転部材でもある。
【００１９】
搬送ローラ４２は、搬送ガイド板３８に設けられたローラ用穴部４９から突出して設けられる。また、搬送アイドラー４４は、この搬送ローラ４２に対応する上方に設けられ、搬送ローラ４２と協働して用紙５０を挟持する。そして、回転することにより、用紙５０を下流に送るようになっている。以下では、この用紙５０を挟持する部位を「挟持部Ｃ」、挟持部Ｃの高さを「挟持高さ」という。
【００２０】
なお、通常、搬送ローラ４２の搬送ガイド板３８からの突出量は２〜４ｍｍ程度である。言い換えれば、挟持高さと搬送ガイド面３８とは、２〜４ｍｍ程度の差がある。ただし、後述するように読取装置１７による画像読取位置の周辺では、その突出量が異なっている。また、場合によっては、送り手段４０や搬送ガイド板３８の配置、構成なども異なる場合がある。そこで、以下の説明では、画像の読取位置周辺における搬送り手段１３は、特に検査用搬送り手段１４と呼び、別途、詳説する。
【００２１】
収容部２２は、用紙を収容するための給紙トレイとして比較的小容量の用紙を収容する第１給紙トレイ３０と比較的大容量の用紙を収容する第２給紙トレイ３２とを備えている。各トレイ３０，３２に収容された用紙は、搬送り手段１３により、適宜、搬送されるようになっている。この各給紙トレイ３０，３２に収容されている用紙のサイズは、予め、印刷用制御部に記憶されている。
【００２２】
印刷部１２は、原稿画像データに基づいてトナー像を形成するとともにそのトナー像を用紙に転写する転写部２６と、用紙に転写されたトナーを定着させる定着部２８とに大別される。転写部２６は、不図示の帯電部および露光部で感光体上に静電潜像を形成し、静電力により感光体表面にトナーを付着させ、トナー像を形成する。ここで形成されるトナー像は、原稿画像データに基づいて形成される。そして、感光体または感光体からトナー像が転写された転写ローラに用紙が搬送されることにより用紙にトナーが転写される。
【００２３】
定着部２８は、転写部２６より下流に設けられる。定着部２８は、トナーが付着された用紙を加熱しながら定着ローラで圧接するもので、これにより用紙に転写されたトナーが用紙に定着される。
【００２４】
検査装置１６は、読取装置１７と検査用制御部（図示せず）とに大別される（図３参照）。また、読取装置１７による画像読取位置Ｒ近傍の搬送り手段である検査用搬送り手段１４は、通常の搬送り手段１３と接続されているが、その構成は、後述するように独特のものとなっている。
【００２５】
読取装置１７は、ランプ４５、結像レンズ４６、ＣＣＤセンサ４８を内蔵しており、印刷部１２で用紙５０に印刷された画像を読み取るようになっている。この読取装置１７は、定着部２８より下流に設けられる。ただし、全体の処理時間短縮、および装置の小型化のためには、定着部２８に近いことが望ましい。読取装置１７で読み取られた画像は、検査画像データとして検査用制御部に出力される。なお、本実施の形態では、読取装置としてＣＣＤセンサを用いているが、用紙に形成された画像を読み取るものであれば、ＣＭＯＳセンサなど、他の装置を用いてもよい。
【００２６】
検査用制御部は、印刷結果の良否を判断する判断手段に相当する機能を有している。すなわち、予め、記憶された原稿画像データと読取装置１７により取得された検査画像データとを比較照合し、その差異量を算出する。そして、差異量が所定の閾値より小さい場合は印刷結果正常と判断し、差異量が所定の閾値より大きい場合は印刷結果不良と判断する。得られた判断結果は、検査結果として印刷用制御部に出力するようになっている。
【００２７】
検査用搬送り手段１４は、通常の搬送り手段１３と同様に、搬送ガイド板３８と、複数の送り手段４０とを備えている。送り手段４０も、通常の搬送り手段１３と同様に、搬送ローラ４２と搬送アイドラー４４とから構成されている。ただし、検査用搬送り手段１４では、搬送ローラ４２と搬送アイドラー４４とで用紙５０を挟持する挟持部Ｃの高さは、搬送ガイド板３８とほぼ同じ高さとなっている。言い換えれば、搬送ローラ４２は、搬送ガイド板３８から殆ど突出していないということになる。ただし、搬送ガイド板３８より搬送ローラ４２が下に位置すると用紙５０を挟持できなくなるため、原則、搬送ガイド板３８と同じ高さ、または、僅かに突出した高さである。そ場合の搬送ガイド板３８からの突出量は、大きくても１ｍｍ以下、望ましくは０．５ｍｍ以下である。
【００２８】
また、この検査用搬送り手段１４は、画像読取位置Ｒの直前に可撓性シート５２を有する。これは、用紙５０を搬送ガイド板に押し当てる押圧手段として機能するもので、可撓性を有した材料からなるシート状部材である。この可撓性シート５２で用紙５０を搬送ガイド板３８に押し当てることにより、用紙５０に生じたカールやうねりなどを一時的に矯正することができる。
【００２９】
排紙部２４は、正常に印刷が終了した用紙が排出される通常排紙トレイ３４と印刷結果が不良と判断された用紙が排出される異常排紙トレイ３６とを備えている。
【００３０】
次に、このプリンタ１０での印刷の流れについて説明する。用紙に対して印刷を行う場合は、印刷したい画像である原稿画像データを印刷用制御部へと入力する。原稿画像データは、例えば、通信装置を介して他のコンピュータ等から原稿画像データを印刷用制御部に送信することにより入力される。入力された原稿画像データは、印刷用制御部に記憶されるとともに、検査用制御部に出力される。検査用制御部は、この原稿画像データを記憶する。なお、当然ながら、所定の画像が形成された用紙を読み取って原稿画像データを取得してもよい。
【００３１】
印刷用制御部は、記憶した原稿画像データに基づいて、帯電装置、露光装置等を制御して感光体にトナー像を現像する。また、搬送り手段１３を駆動させ、所定の給紙トレイ３０，３２から用紙をプリンタ１０の各部へと搬送させる。
【００３２】
搬送された用紙は、搬送ガイド板３８に沿って搬送され、転写部２６でのトナー像の転写、定着部２８でのトナーの定着がなされる。これにより、用紙に対して原稿画像データに基づいた印刷がなされる。
【００３３】
印刷部１２を通過した用紙５０は、検査用搬送り手段１４により画像読取位置Ｒに搬送され、用紙に印刷された画像の読み取りがなされる（図３参照）。読取装置１７は、読み取った画像を検査画像データとして検査用制御部に出力する。検査用制御部では、予め記憶された原稿画像データと検査画像データとを比較照合する。そして、２つの画像の差異量が所定の閾値より小さい場合は正常印刷されたと、差異量が所定の閾値より大きい場合は印刷結果不良と判断する。
【００３４】
この検査結果は、印刷用制御部に出力される。印刷用制御部は、検査結果に応じて用紙の搬送先を決定し、搬送り手段１３を駆動する。すなわち、印刷結果正常であった場合は用紙を通常排紙トレイ３４に排紙、または、裏面印刷のために再搬送する。印刷結果不良であった場合は、用紙を異常排紙トレイ３６に排紙する。
【００３５】
以上、説明したように、印刷結果の検査は検査画像データに基づいて行われる。したがって、正確な印刷結果の検査のためには、検査画像データが正確に取得されなければならない。検査画像データが正確に取得できない原因の一つに、印刷後の用紙のカールやたわみ、うねりなどに起因する平面性不良がある。印刷後の用紙に、カール等に起因する平面性不良があると、その表面に印刷されている画像が歪んで見えてしまう。そして、読取装置１７で取得される検査画像データが実際に印刷された画像と異なるものとなってしまう。
【００３６】
通常の搬送り手段１３では、用紙５０を挟持する挟持部Ｃの高さが、搬送ガイド板３８から離れている（図２参照）。したがって、挟持、搬送される用紙５０には、送り手段４０間でたるみが生じやすく、また、カールやうねり等が生じていても矯正されないまま搬送されてしまう。また、画像読取位置Ｒの直前では、通常、用紙の平面性向上のために、可撓性シート５２で用紙５０を搬送ガイド板３８に押し当てている。しかし、通常の搬送り手段１３で搬送すると、高い位置で挟持された用紙５０を可撓性シート５２で押し曲げられることになり、却って用紙の平面性を低下させてしまう。
【００３７】
そこで、本実施の形態では、画像読取位置Ｒの近傍には、独特の構成となっている検査用搬送り手段１４を配置している。上述したように、検査用搬送り手段１４は、用紙５０を挟持する挟持部Ｃの高さ（挟持高さ）は、搬送ガイド板３８とほぼ同じになっている。したがって、用紙５０は、搬送ガイド板３８に近接されて搬送されることになり、たるみが生じにくい。また、可撓性シート５２で用紙５０を押し当てても、用紙５０を押し曲げることにならず、平面性を向上できる。そして、これにより、読取装置１７で正確な検査画像データを取得することができ、ひいては、より正確な印刷結果の検査が可能となる。
【００３８】
以上、説明したように、本実施の形態によれば、より正確な印刷結果の検査が可能となる。なお、本実施の形態では、搬送ガイド板３８とほぼ同じ挟持高さを持つ送り手段４０を、画像読取位置Ｒの直前および直後の両方に設けているが、直後にのみ設けてもよい。
【００３９】
また、挟持高さを搬送ガイド板３８とほぼ同じにすると、搬送される用紙５０が送り手段４０から送り出される際に、ローラ用穴部４９に引っかかりやすくなるという問題がある。その場合は、図４に示すように搬送ガイド板３８の配置関係や形状を変更してもよい。すなわち、図４（Ａ）に示すように、送り手段４０の下流に位置する搬送ガイド板３８ｂを上流に位置する搬送ガイド板３８ａより低くしてもよい。こうすることで、送り手段４０から送り出された用紙とローラ用穴部４９との距離が離れ、用紙が引っかかりにくくなる。また、図４（Ｂ）に示すように、搬送ガイド板３８のうち、送り手段４０の直後となる部分３８ｄのみを下げてもよい。これにより、やはり、用紙５０とローラ用穴部４９との距離が離れ、用紙５０の引っかかりを防止、または、低減できる。
【００４０】
また、検査用搬送り手段１４の挟持部や搬送ガイド板３８の高さは、固定でもよいが、図５に示すように、調整機構を設け、適宜、調整可能としてもよい。図５（Ａ）は、挟持部Ｃの高さを調整する挟持高さ調整機構６２を設けた場合の概略構成図である。これは、搬送ローラ４２のローラ軸５４の両端に上下移動機構６２ａ，６２ｂを挟持高さ調整機構６２として設けている。また、搬送アイドラー４４は、バネ等の弾性部材５８により下方に付勢されており、搬送ローラ４２の上下移動に応じて追従できるようになっている。したがって、挟持高さ調整機構６２で搬送ローラ４２を上下に移動させることにより、挟持部Ｃの高さを適宜変更することができる。これにより、搬送ガイド板３８と挟持部Ｃとの高さを適宜、適切な距離に調整することができ、より用紙の平面性を向上させることができる。また、場合によっては、左右の上下移動機構６２ａ，６２ｂのいずれか一方のみを駆動させて、より微細な挟持高さ調整を行ってもよい。
【００４１】
また、図５（Ｂ）に示すように、搬送ガイド板３８にガイド板高さ調整機構６４を設け、搬送ガイド板３８の高さを調整するようにしてもよい。これは、搬送ガイド板３８の両端に上下移動機構６４ａ，６４ｂをガイド板高さ調整機構６４として設けたものである。そして、適宜、ガイド板高さ調整機構６４を駆動させることにより搬送ガイド板３８と挟持部Ｃとの距離関係が適切になるように調整する。これにより、挟持部Ｃと搬送ガイド板３８との高さをより適切にすることができ、より搬送される用紙の平面性を向上できる。もちろん、挟持高さ調整機構６２とガイド板高さ調整機構６４の両方を備え、両方の高さを調整できるようにしてもよい。
【００４２】
次に、他の実施の形態について図６を用いて説明する。図６は、他の実施の形態にかかるプリンタの画像読取位置Ｒ周辺の概略側面図である。本実施の形態では、画像読取位置Ｒの近傍に配置された搬送ローラ４２と搬送アイドラー４４とが、その中心位置をずらして配置されている。すなわち、画像読取位置Ｒの直前に位置する搬送アイドラー４４の中心位置Ｏｉは対応する搬送ローラ４２の中心位置Ｏｒより下流側に、画像読取位置Ｒの直後に位置する搬送アイドラー４４の中心位置Ｏｉは対応する搬送ローラ４２の中心位置Ｏｒより上流側になっている。言い換えれば、画像読取位置Ｒの近傍に位置する搬送アイドラー４４は、その中心位置Ｏｉが対応する搬送ローラ４２の中心位置Ｏｒより画像読取位置Ｒ側にずれるように設けられている。これより、挟持部Ｃ１、Ｃ２は画像読取位置Ｒ側へとずれ、また、挟持部Ｃ１、Ｃ２における接線は搬送ガイド板３８に対して傾斜したものとなる。
【００４３】
このような送り手段４０を設けた検査用搬送り手段１４での用紙５０の搬送について説明する。上流側から搬送された用紙は、画像読取位置Ｒの直前の送り手段４０ａで挟持され、画像読取位置Ｒへと送られる。このとき、挟持部Ｃ１における接線は、搬送ガイド板３８に向かって傾斜している。そのため、これに挟持される用紙５０も、搬送ガイド板３８に向かって傾斜した状態で送り出されることとなる。そして、用紙５０は、その先端部が搬送ガイド板３８に当接した後は、搬送ガイド板３８に沿うため、たるむことなく、画像読取位置Ｒへと搬送される。また、画像読取位置Ｒ直前で、用紙５０を搬送ガイド板３８に押し当てる可撓性シート５２への負荷も低減することができ、長期にわたって、画像読取位置Ｒに搬送される用紙５０の平面性を向上させることができる。
【００４４】
また、画像読取位置Ｒの直後に配置した送り手段４０ｂもその挟持部Ｃ２を画像読取位置Ｒ側にずらしている。そのため、搬送される用紙５０を取り込みやすくなっており、紙詰まりなどのない、より円滑な用紙搬送が可能となる。
【００４５】
以上、本実施の形態によれば、より用紙の平面性を向上させることができ、ひいてはより正確な印刷結果の検査が可能となる。また、可撓性シートの寿命を延ばすことができ、長期的に用紙の平面性を向上させることができる。さらに、より円滑な用紙搬送が可能となる。なお、本実施の形態では、画像読取位置Ｒの直前と直後の両方に、中心位置のずれた送り手段４０を設けているが、直前のみであってもよい。
【００４６】
次に、他の実施の形態について図７（Ａ）を用いて説明する。図７（Ａ）は、他の実施の形態に係る検査用搬送り手段１４の概略側面図である。この検査用搬送り手段１４の搬送ガイド板３８は、画像読取位置Ｒの近傍で読取装置から見て内側に反った形状となっている。すなわち、画像読取位置Ｒ近傍から下流にいくにつれ徐々に上昇するような形状となっている。この上昇は、緩やかな円弧形状で実現されている。
【００４７】
この検査用搬送り手段１４での用紙の搬送について説明する。上流側から搬送された用紙（図示せず）は、送り手段４０により挟持され、画像読取位置Ｒに送り出される。このとき、搬送ガイド板３８は読取装置１７からみて内側に反っているため、用紙は搬送ガイド板３８に当接しやすくなっている。そして、搬送ガイド板３８に当接した用紙は、搬送ガイド板３８に沿って搬送されるため、たるみなどが生じにくく、平面性が向上した状態で画像読取位置Ｒに至る。そのため、より正確な検査画像データを取得することができ、ひいては、より正確な印刷結果の検査が可能となる。以上、説明したように本実施の形態によれば、より正確な印刷結果の検査が可能となる。
【００４８】
なお、本実施の形態では、画像読取位置Ｒ近傍から下流にいくにつれ徐々に上昇する形状としているが、図７（Ｂ）に示すように、上流から画像読取位置Ｒに近づくにつれ徐々に下降する形状としてもよい。この場合であっても、画像読取位置Ｒの直前に配した送り手段４０から送り出された用紙は、搬送ガイド板３８に当接し、その後、搬送ガイド板３８に沿って搬送される。そのため、より正確な検査画像データの取得、より正確な印刷結果の検査が可能となる。
【００４９】
次に、他の実施の形態について、図８を用いて説明する。図８は、他の実施の形態に係る検査用搬送り手段１４の概略側面図である。この検査用搬送り手段１４は、下流に位置する送り手段４０（一対の回転部材）ほど、その回転速度を速くしたものである。また、この検査用搬送り手段１４は、挟持タイミング検出器６８と押圧力調整機構（図示せず）を有している。
【００５０】
一対の回転部材（搬送ローラ４２と搬送アイドラー４４）である送り手段４０の回転速度は、印刷用制御部、または、検査用制御部によって制御されている。この回転速度は、全ての送り手段４０で均一であることが多いが、本実施の形態では、下流に位置する送り手段４０ほど、徐々に、早い回転速度としている。したがって、用紙５０が２つの送り手段４０で挟持された場合、下流側の送り手段４０のほうが回転速度が速いため、用紙５０は下流方向に若干引っ張られる状態となる。
【００５１】
挟持タイミング検出器６８は、画像読取位置Ｒの直後の送り手段４０ｂで用紙５０が挟持されたタイミング、挟持タイミングを検出するものである。本実施の形態では、取付位置における用紙５０の有無を検出する用紙検出器を挟持タイミング検出器として用いている。すなわち、画像読取位置Ｒの直後の送り手段４０ｂの近傍に、用紙５０の有無を検出する用紙検出器を設け、この用紙検出器で用紙があると検出された最初のタイミングを、挟持タイミングとして検出する。当然ながら、挟持タイミングを検出できるものであれば、他の検出器を用いてもよい。この検出結果は、検査用制御部に出力される。
【００５２】
押圧力調整機構は、画像読取位置Ｒ直前で用紙５０を搬送ガイド板３８に押し当てる可撓性シート５２ａ，５２ｂの押圧力を調整するもので、例えば、可撓性シート５２を上下に移動させる上下移動機構などで実現することができる。押圧力の調整は、検査用制御部からの指令に基づいて行われる。
【００５３】
この検査用搬送り手段１４での用紙５０の搬送について説明する。上流側から搬送された用紙５０は、画像読取位置Ｒの直前の送り手段４０ａに挟持され、送り出される。送り出された用紙５０の先端部は、画像読取位置Ｒの直後の送り手段４０ｂに挟持、送り出される。ただし、このとき、用紙５０の後端側は、まだ、画像読取位置Ｒの直前の送り手段４０ａに挟持されている。その場合、用紙５０の先端側は早い速度で、用紙５０の後端側は遅い速度で送り出されるため、用紙５０全体としては下流側に引っ張られた状態となる。そのため、用紙５０にたるみなどが生じにくく、また、カールやうねりがあっても矯正され、その平面性が向上される。したがって、より正確な検査画像データの取得、より正確な印刷結果の検査が可能となる。
【００５４】
また、用紙５０の一部が画像読取位置Ｒの直後の送り手段４０ｂで挟持されれば、可撓性シート５２の押圧力を強める。すなわち、検査用制御部は、挟持タイミング検出器６８から、下流側の送り手段４０ｂによる用紙の挟持された、との検出結果を受ければ、押圧力調整機構に対して、押圧力増加の指令を出力する。これにより、用紙５０はより強い力で搬送ガイド板３８に押し当てられる。より強い力で押し当てることにより、過剰な用紙５０の引張りを防止できる。また、用紙５０の平面性をより向上することができる。
【００５５】
以上、説明したように本実施の形態によれば、より正確な印刷結果の検査が可能となる。なお、場合によっては、挟持タイミング検出器や押圧力調整機構を設けなくてもよい。
【００５６】
次に、他の実施の形態について、図９、図１０を用いて説明する。図９は、他の実施の形態に係る検査用搬送り手段１４の概略上面図である。図１０は、この検査用搬送り手段１４の送り手段４０の概略構成図である。この検査用搬送り手段１４は、挟持部間隔調整機構（図示せず）と用紙幅取得手段（図示せず）とを有している。以下、これについて詳説する。
【００５７】
挟持部間隔調整機構は、用紙５０を挟持する２つの挟持部Ｃ１，Ｃ２の間隔を調整するものである。すなわち、搬送ローラ４２は２つのローラ４２ａ，４２ｂを有し、搬送アイドラー４４は離れた２つのアイドラー４４ａ，４４ｂを有している（図１０参照）。この２つのローラ４２ａ，４２ｂと２つのアイドラー４４ａ，４４ｂとが、用紙を挟持する挟持部Ｃ１、Ｃ２を構成する。挟持部間隔機構は、ローラ４２ｂ、アイドラー４４ｂを搬送ガイド板３８の幅方向に移動させることにより、挟持部Ｃ１と挟持部Ｃ２との間隔を調整する。この調整は、検査用制御部からの指令に基づいて行われる。
【００５８】
用紙幅取得手段は、搬送される用紙５０の幅を取得するものである。これは、検査用制御部の一機能として実現される。検査用制御部は、印刷用制御部に記憶された用紙サイズから搬送される用紙５０の幅を取得する。また、検査用制御部は、得られた用紙５０の幅に応じて、挟持部間隔調整機構により挟持部Ｃ１，Ｃ２の間隔を調整する。
【００５９】
次に、この検査用搬送り手段１４での用紙５０の搬送について説明する。上流側から搬送された用紙５０は、２つのローラ４２ａ，４４ｂおよびアイドラー４４ａ，４４ｂで挟持され、送り出される。このとき、検査用制御部は、用紙サイズから取得した用紙幅に応じて、挟持部Ｃ１，Ｃ２の間隔を調整する。すなわち、挟持部間隔調整機構により、用紙５０の幅方向の両端部に、挟持部Ｃ１，Ｃ２が位置するように、ローラ４２ｂとアイドラー４４ｂとの位置を変更する。したがって、例えば、サイズが大きい用紙５０ａが搬送されてきた場合、ローラ４２ｂとアイドラー４４ｂは、図９において破線で示すように移動し、用紙５０ａの端部を挟持する。
【００６０】
この構成により、用紙５０は、常にその両端位置で挟持されることになる。これにより、用紙５０の端部に生じやすいカールを矯正することができ、用紙５０の平面性をより向上させることができる。そして、より正確な検査画像データ、印刷結果の検査結果を取得することができる。
【００６１】
以上、説明したように本実施の形態によれば、より用紙５０の平面性を向上させることができ、より正確な印刷結果の検査が可能となる。なお、本実施の形態では、２つの挟持部Ｃ１，Ｃ２のうち、一方の挟持部Ｃ２のみを移動させているが、両方の挟持部Ｃ１，Ｃ２を移動させてもよい。その場合は、単に用紙幅のみを取得するのではなく、用紙の両端位置を検出し、その両端位置に応じて、２つの挟持部Ｃ１，Ｃ２を調整する。これにより、より正確に用紙の両端を挟持することができ、より用紙の平面性を向上させることができる。また、用紙幅や用紙両端位置は、印刷用制御部に記憶された用紙サイズから取得するのではなく、何らかのセンサで取得してもよい。
【００６２】
また、送り手段４０および挟持部間隔調整機構としては、種々の形態を用いることができる。例えば、図１１（Ａ）に示すように、搬送ローラ４２を一つの長幅のローラ４２ａで構成し、搬送アイドラー４４を２つの移動可能なアイドラー４４ａ，４４ｂで構成してもよい。そして、挟持部間隔調整機構としては、アイドラー４４ｂのみを移動させて、挟持部Ｃ２の位置を移動させるものを用いてもよい。
【００６３】
また、図１１（Ｂ）に示すように、搬送ローラ４２を位置固定された複数のローラ４２ａ，４２ｂ，４２ｃで構成し、搬送アイドラー４４を上下に移動可能な複数のアイドラー４４ａ，４４ｂ，４４ｃで構成する。このとき、各ローラおよびアイドラーは、代表的な用紙の幅に対応する位置に設けておく。そして、挟持部間隔調整機構としては、複数のアイドラーのうち、搬送される用紙の幅に応じたアイドラーを下降させ、それ以外のアイドラーを上昇させる上下移動機構を用いることができる。この上下移動機構により下降させられたアイドラーとこれに対応するローラとで、挟持部が構成される。つまり、用紙の幅に応じて、対応するアイドラーを下降させることにより、挟持部を用紙の幅方向の両端位置にすることができる。これにより、用紙の平面性を向上させ、より正確な印刷結果の検査が可能となる。
【００６４】
以上、複数の実施の形態を説明したが、各実施の形態に表される特徴は、適宜、組み合わせてもよく、組み合わせることにより、より搬送される用紙の平面性を向上させることができる。
【図面の簡単な説明】
【００６５】
【図１】本実施の形態であるプリンタの概略構成図である。
【図２】搬送り手段の概略構成図である。
【図３】プリンタの読取装置周辺の概略側面図である。
【図４】（Ａ）は搬送ガイド板の一例を示す図であり、（Ｂ）は別の搬送ガイド板の一例を示す図である。
【図５】（Ａ）は送り手段の概略構成図であり、（Ｂ）搬送ガイド板の概略構成図である。
【図６】他の実施の形態にかかる検査用搬送り手段周辺の概略側面図である。
【図７】（Ａ）は搬送ガイド板の一例を示す図であり、（Ｂ）は別の搬送ガイド板の一例を示す図である。
【図８】他の実施の形態にかかる検査用搬送り手段周辺の概略側面図である。
【図９】他の実施の形態にかかる検査用搬送り手段周辺の概略上面図である。
【図１０】送り手段の一例を示す概略側面図である。
【図１１】（Ａ）は他の送り手段の一例を示す概略側面図であり、（ｂ）は別の送り手段の一例を示す概略側面図である。
【符号の説明】
【００６６】
１０  プリンタ、１２  印刷部、１３  搬送り手段、１４  搬送り手段、１４  検査用搬送り手段、１６  検査装置、１７  読取装置、２２  収容部、２４  排紙部、３８  搬送ガイド板、４０  送り手段、４２  搬送ローラ、４４  搬送アイドラー、５０  用紙、５２  可撓性シート、６２  挟持高さ調整機構、６４  ガイド板高さ調整機構、６８  挟持タイミング検出器、Ｃ  挟持部、Ｒ  画像読取位置。
【図１】
0004665401.tif 000002
【図２】
0004665401.tif 000003
【図３】
0004665401.tif 000004
【図４】
0004665401.tif 000005
【図５】
0004665401.tif 000006
【図６】
0004665401.tif 000007
【図７】
0004665401.tif 000008
【図８】
0004665401.tif 000009
【図９】
0004665401.tif 000010
【図１０】
0004665401.tif 000011
【図１１】
0004665401.tif 000012